(57)【要約】【課題】表示言語が変わった場合に、ＲＯＭを交換することなく、言語、通貨マーク、国コードを切り替えて起動できるラベルプリンタを提供する。【解決手段】キーボードの「５」キーを押しながら、電源スイッチを「入」操作すると、図３の「表示言語選択モード」画面が起動する。液晶画面に表示する言語を、キーボード上の矢印キー「←」「→」操作にて選択する。キーボードの「ENTER」キーを押して確定すると、以後、電源スイッチを入れる度に、先に選択した表示言語、それに対応する通貨マークおよび国コードのバーコードラベルを印字できる状態でラベルプリンタが起動する。【選択図】        図３
2005225172.tif 000002
【特許請求の範囲】
【請求項１】
各キーに文字が割り当てられた文字入力部と、該文字入力部からの入力結果を表示する表示部と、この表示内容をラベルに印字する印字部とを備えたラベルプリンタにおいて、電源投入時の操作により、以後の電源投入時には前記各キーに通常時と異なる国の言語の文字を割り当てると共に、この新たに割り当てられた言語に連動させた新たな国コードを含むバーコードと、この国の通貨マークとをラベルに印字可能な状態で起動させる選択手段を設けたことを特徴とするラベルプリンタ。
【発明の詳細な説明】
【技術分野】
【０００１】
本発明は文字入力部と表示部と印字部を備えたスタンドアローンタイプのラベルプリンタに係り、特に各国の言語に切り換えて使用できると共に、切り換えた言語に対応する通貨マークおよび国コードのバーコードラベルを印字できるようにしたラベルプリンタに関する。
【背景技術】
【０００２】
従来のラベルプリンタは、使用する国の言語ごとに異なるファームウエアをＲＯＭ(Read Only Memory)に記憶させて製造していた。
【０００３】
このため、ある国の言語用に作られたラベルプリンタを他の国の言語で使用するには、言語ごとに別のＲＯＭに交換して対応していた。そして、使用する言語が変わり、それに伴って通貨マークが変更されたときも、ＲＯＭごと交換されたファームウエアに従ってラベルプリンタを動作させることで対応していた。
【特許文献１】特開２０００−３４３７６７号公報
【発明の開示】
【発明が解決しようとする課題】
【０００４】
しかしながら、使用言語が変わるたびに使用者がＲＯＭを交換するのは、装置の分解などを伴うため、手間が掛かり過ぎて実用的ではない。
【０００５】
本発明はこのような状況に鑑みてなされたものであり、使用言語が変わった場合に、ＲＯＭを交換することなく、各キーに通常時とは異なる国の言語の文字を割り当てると共に、この新たに割り当てられた言語に連動させた新たな国コードを含むバーコードと、この国の通貨マークとをラベルに印字可能とする状態で起動させることを目的とする。
【課題を解決するための手段】
【０００６】
本発明は、前記目的を達成するために、各キーに文字が割り当てられた文字入力部と、該文字入力部からの入力結果を表示する表示部と、この表示内容をラベルに印字する印字部とを備えたラベルプリンタにおいて、電源投入時の操作により、以後の電源投入時には前記各キーに通常時と異なる国の言語の文字を割り当てると共に、この新たに割り当てられた言語に連動させた新たな国コードを含むバーコードと、この国の通貨マークとをラベルに印字可能な状態で起動させる選択手段を設けたことを特徴とする。
【発明の効果】
【０００７】
本発明によれば、電源投入時に、例えば特定のキーを押し続けるなどの操作を行うことにより、異なるＲＯＭや異なるＲＯＭの領域から異なるファームウエアを起動させ、各キーに割り当てた言語の文字や、その国の国コードを含むバーコード、その国の通貨マークを連動させて起動させることができる。
【０００８】
そして、以後、電源投入時に上記選択手段を操作しない限り、選択された言語、国コード、通貨マークを使用するラベルプリンタとして動作するので、ＲＯＭを交換したり、ラベルプリンタを言語別に複数台購入することなく、一台のラベルプリンタで対応できる。
【発明を実施するための最良の形態】
【０００９】
以下、図１ないし図３に基き、本発明に係るラベルプリンタの一実施の形態を説明する。
図１において、１はホストコンピュータ、２はラベルプリンタであり、該ラベルプリンタ２はその筐体上に文字入力部としてのキーボード３、表示部としての液晶画面４を備えている。また、筐体内には印字部としてのサーマル印字ヘッド５、ホストコンピュータ１や後述するメモリーカード１１等と接続するインタフェース６を備えている。これらはシステムバス７を介してメモリ８、ＣＰＵ（中央演算処理装置）９、不揮発性メモリ１０等に接続されている（図２参照）。
【００１０】
ラベルプリンタ２はホストコンピュータ１から送られてくる文字コードを受信し、ラベルプリンタ２内の文字コード表（不図示）と照合して文字に変換し、ラベルに印字することができる。また、キーボード３から直接手入力してラベルを印字することができる。
【００１１】
１１はＥＥＰＲＯＭなどからなるメモリーカードであり、該メモリーカード１１には、例えばラベルプリンタ２を特定業務用モードや外国語モードで動作させるためのシステムプログラムやフォーマット、フォントなどが格納されている。本実施形態では、英語用や日本語用のラベルプリンタにオプションのメモリーカード１１を装着してキーボード３の「５」キーを押しながら電源スイッチ１３を押して起動することにより多国語で使用するラベルプリンタを例示して説明する。
【００１２】
１２はラベルプリンタ２に接続して使用するタッチスキャナであり、該タッチスキャナ１２は、例えば商品に予め添付されている商品コードや価格等のバーコードを読み取り、ラベルプリンタ２で価格変更したラベルを印字するような場合に利用できる。
【００１３】
次に当該ラベルプリンタを起動する操作について説明する。
まず、キーボード３上の「５」キーを押しながら、電源スイッチ１３を「入」操作すると、図３の「表示言語選択モード」画面が起動する。
【００１４】
次に液晶画面３に表示する言語を、キーボード３上の矢印キー「←」「→」を操作して選択する。図３中に（１）、（２）、（３）、…、（１０）で示すように、番号０１〜１０の１０種類から選択できる言語が表示されるので、キーボード３上の「ENTER」キーを押して確定する。なお、表示言語選択の空き番号は、“RESERVE”と表示される。
【００１５】
ここで、上記「ENTER」キーが押された場合、設定された表示言語確認画面(11)を表示する。当該画面は、移行できないので電源スイッチ１３を入れ直してクリアする。
【００１６】
そして、以後、電源スイッチ１３を入れると、先に選択した表示言語と、それに対応する通貨マークおよび国コードのバーコードラベルを印字できる状態でラベルプリンタ２が起動するようになる。
【００１７】
なお、上記ラベルプリンタ２は、デフォルト設定では表示言語ははJAPAN（2バイトコード圏）／ENGLISH（1バイトコード圏）となっている。
【００１８】
また、“RESERVE”選択時に「ENTER」キーを押下した場合、デフォルト設定に戻るようになっている。
【００１９】
かくして、ラベルプリンタ２は、使用言語が変わった場合に、電源投入時の選択手段の操作により、各キーに通常時（デフォルト）とは異なる国の言語の文字を割り当てると共に、この新たに割り当てられた言語に連動させて新たな国コードを含むバーコードと、この国の通貨マークとをラベルに印字可能となり、ＲＯＭを交換する手間もなく、また、使用する言語が替わった時にはそれに連動して通貨マークと国コードを変更できるので、言語の違いによる操作ミスが減少し、取り扱い易くなる。
【図面の簡単な説明】
【００２０】
【図１】本発明実施例を示す図である。
【図２】ラベルプリンタの内部構成を示すブロック図である。
【図３】表示言語選択モード画面を示す説明図である。
【符号の説明】
【００２１】
２…ラベルプリンタ、３…キーボード、４…液晶画面
【図１】
2005225172.tif 000003
【図２】
2005225172.tif 000004
【図３】
2005225172.tif 000005